(57)【要約】【課題】  メニュー画面の表示に平易な文言を使い、目的に合った項目を選択することができる情報再生装置及びその表示制御方法を提供する。【解決手段】  ディスクに記録された情報を再生する情報再生装置であって、リモコンから再生や停止等の再生操作の命令を受信すると、再生操作における動作を実行すると共に、前記リモコンからメニューボタンが押された時点で可能なユーザ操作を判断する再生機能制御部７と、前記再生機能制御部７によって判断された前記ユーザ操作を、平易な文言を使った項目に変換して、画面上に表示するメニュー表示処理部９とを具備することを特徴とする。【選択図】      図１
2010148010.tif 000002
【特許請求の範囲】
【請求項１】
ディスクに記録された情報を再生する情報再生装置であって、
リモコンから再生操作の命令を受信すると、前記再生操作における動作を実行するとともに、前記リモコンからメニューボタンが押された時点で可能なユーザ操作を判断する再生制御手段と、
前記再生制御手段によって判断された前記ユーザ操作を所定の項目に変換して、画面上に前記項目を表示するメニュー表示処理手段とを具備することを特徴とする情報再生装置。
【請求項２】
前記再生制御手段は、前記画面上に表示された前記項目の少なくとも１つが選択されると、選択された前記項目に対応する動作を実行することを特徴とする請求項１記載の情報再生装置。
【請求項３】
前記再生制御手段が前記動作を実行中に、ユーザ操作が必要なときは、前記メニュー表示処理手段にユーザ操作を促すメッセージを表示させることを特徴とする請求項２記載の情報再生装置。
【請求項４】
前記メニュー表示処理手段は、前記ユーザ操作を前記所定の項目に変換するためのテーブルを格納することを特徴とする請求項１記載の情報再生装置。
【請求項５】
前記テーブルにある前記所定の項目はユーザの行動の目的となる表現であることを特徴とする請求項４記載の情報再生装置。
【請求項６】
前記メニュー表示処理手段は、前記所定の項目の表示をグラフィカルに表示可能であることを特徴とする請求項１記載の情報再生装置。
【請求項７】
ディスクに記録された情報を再生する情報再生方法であって、
リモコンから再生操作の命令を受信すると、前記再生操作における動作を実行するとともに、前記リモコンからメニューボタンが押された時点で可能なユーザ操作を判断し、
判断された前記ユーザ操作を所定の項目に変換して、画面上に前記項目を表示することを特徴とする情報再生方法。
【請求項８】
前記画面上に表示された前記項目の少なくとも１つが選択されると、選択された前記項目に対応する動作を実行することを特徴とする請求項７記載の情報再生方法。
【請求項９】
前記動作を実行中に、ユーザ操作が必要なときはユーザ操作を促すメッセージを表示させることを特徴とする請求項８記載の情報再生方法。
【請求項１０】
前記ユーザ操作を前記所定の項目に変換するためのテーブルを格納することを特徴とする請求項７記載の情報再生方法。
【請求項１１】
前記テーブルにある前記所定の項目はユーザの行動の目的となる表現であることを特徴とする請求項１０記載の情報再生方法。
【請求項１２】
前記所定の項目の表示をグラフィカルに表示可能であることを特徴とする請求項７記載の情報再生方法。
【発明の詳細な説明】
【技術分野】
【０００１】
本発明は、情報再生装置に関し、特に、ＤＶＤ（Ｄｉｇｉｔａｌ Ｖｅｒｓａｔｉｌｅ Ｄｉｓｋ）やＢＤ（Ｂｌｕ−ｒａｙ  Ｄｉｓｃ）に記録されている映像音声を再生する情報再生装置及びその再生方法に関するものである。
【背景技術】
【０００２】
現在使用されている種々の機器は、例えば、情報再生装置にデジタル放送受信機やハードディスク（ＨＤＤ）、ＤＶＤ内蔵チューナーなどがあるように、多彩な機能を統合したものが多く、その分、機能や操作などユーザが選択しなければならない項目が増大している。その多くの機能を使いこなすためには、機能一覧、操作一覧などをメニュー形式で表示し、利用者が選択できるようにすることが一般的に行われている。
【特許文献１】特開２００４−２７４６００号公報
【発明の開示】
【発明が解決しようとする課題】
【０００３】
上記特許文献１によれば、ボタン操作によりメニュー画面が切り替わる再生装置において、メニュー画面に含まれる各ボタンに対応するコマンドを分析して、先のメニュー画面に進むコマンドを持つボタンに対して、そのボタンを進みボタンとして割り当て、前のメニュー画面に戻るコマンドを持つボタンに対しては、そのボタンを戻りボタンとして割り当てる。また、そのボタンに対応する移動先のメニュー画面を再生して表示する。
【０００４】
この特許文献１では、複数の画面を遷移するメニューの操作を簡略化する為に、［戻る］［進む］ボタンの機能を付加させており、メニュー画面を遷移することを主体としている。再生装置に対しての操作は、メニューを遷移する機能に限られており、「メニュー画面で表示を行い、平易な文言から目的に合った操作を選ぶ」といった機能については何ら記載されていない。
【０００５】
そこで、本発明の目的は、上記の問題を解決するために成されたものであり、メニュー画面の表示に平易な文言を使い、目的に合った項目を選択することができる情報再生装置及びその再生方法を提供する。
【課題を解決するための手段】
【０００６】
上記した課題を解決するために、この発明は、ディスクに記録された情報を再生する情報再生装置であって、リモコンから再生操作の命令を受信すると、前記再生操作における動作を実行するとともに、前記リモコンからメニューボタンが押された時点で可能なユーザ操作を判断する再生制御手段と、前記再生制御手段によって判断された前記ユーザ操作を所定の項目に変換して、画面上に前記項目を表示するメニュー表示処理手段とを具備することを特徴とする。
【０００７】
また、上記した課題を解決するために、この発明は、ディスクに記録された情報を再生する情報再生方法であって、リモコンから再生操作の命令を受信すると、前記再生操作における動作を実行するとともに、前記リモコンからメニューボタンが押された時点で可能なユーザ操作を判断し、判断された前記ユーザ操作を所定の項目に変換して、画面上に前記項目を表示することを特徴とする。
【発明の効果】
【０００８】
本発明によれば、光学ディスク等の再生装置は、不慣れなユーザにとって操作が複雑であったり、用語や表示が紋切り型の専門用語で難解に感じたり、理解され難いことが多かった。そこで、再生装置等に関連する専門的な用語や記号などの、再生装置が主体の表示を理解してもらうのではなく、ユーザの行動に再生装置の方が合わせて、ユーザの行動を主体とする表示や操作方法を提供することで、無駄な操作を少なくして、効率良く制御することができる。
【発明を実施するための最良の形態】
【０００９】
以下、この発明の実施例について、図面を参照しながら詳細に説明する。
図１は本発明の一実施形態に係る情報再生装置の概略構成を示す図である。
図１に示すように、情報再生装置１００は、ディスクドライブ部１、ストレージ部３、制御ＣＰＵ部５、リモコン受信部１３、ストリームプロセッサ１５、デコーダ１７、グラフィック１９、ネットワークアダプタ２１、映像出力部２３、音声出力部２５を備えている。
【００１０】
ユーザがリモコン１１を操作すると、リモコン１１は赤外線または電波を発する。リモコン受信部１３は、リモコン１１から発せられた赤外線または電波を受信して、その信号を制御ＣＰＵ部５への命令に変換し伝える。制御ＣＰＵ部５は、リモコン受信部１３からの命令を解釈する。例えば、解釈した結果、再生操作を行う命令であった場合は再生機能制御部７を使ってディスクドライブ１を制御する。ディスクドライブ部１は、ＣＤ、ＤＶＤ、Ｃｈｉｎａ ＨＤ ＤＶＤ（登録商標）、Ｂｌｕ−ｒａｙ（登録商標）などの光ディスクＤに記録されたデータを読み出し、読み出されたデータをストリームプロセッサ１５へ供給する。ストリームプロセッサ１５は、読み出されたデータに含まれた再生データをデコーダ１７へ供給する。デコーダ１７は再生データに含まれた映像データや音声データ等を分離してそれぞれデコードする。デコードされた映像データはグラフィック１９に出力され、映像出力部２３を介してモニターに出力される。また、音声データは音声出力部２５を介してアンプに出力される。制御ＣＰＵ部５は、再生制御と同時または別々に、メニュー表示処理部９を使ってメニュー表示を行う。このメニュー表示処理部９はグラフィック１９を使いメニュー表示の絵や文字を、映像出力部２３に重畳させる。ネットワークアダプタ２１はネットワーク接続するためのアダプタであり、制御ＣＰＵ５と電気的に接続される。
【００１１】
図２は、メニュー表示の例を示した図である。
図２に示したメニュー表示は、情報再生装置１００の再生中、ユーザがメニューボタンを押したときに選択できる項目を表している。このメニュー表示された項目はユーザの行動の目的になるものが列挙されている。したがって、メニューを表示させると、この時点で選択できる項目が列挙されるので、ユーザはこの中から目的となる項目を選べばよい。なお、図では「他のディスクを見る」が選択されている。
【００１２】
図３は、ディスク交換を例にした画面表示、ユーザ操作及び情報再生装置の動作の関連を表した図である。
最初に、情報再生装置１００は既にある光ディスクＤを再生中とする（ステップＳ１）。ユーザは他のＤＶＤを見るためにリモコン１１にあるメニューボタンを押すと、制御ＣＰＵ５は再生機能制御部７を制御して、現時点でできること、即ち、再生中における可能なユーザ操作項目を判断させる。再生機能制御部７によって判断されたユーザ操作項目は、メニュー表示処理部９に伝えられ、グラフィック１９を介して画面にメニューが表示される。図３のメニュー表示Ａでは再生中に操作できる項目として「ちょっと休憩する」、「他のＤＶＤを見る」、「しばらく休憩する」、「見るのをやめる」が表示される（ステップＳ２）。この表示では、メニュー上にユーザの行動の目的になるものを列挙して分かり易い言葉で表示されるのが特徴である。図５には、情報再生装置１００が主体の表示とユーザ行動に関する表示を比較したテーブルが示されている。「ちょっと休憩をする」は本来情報再生装置１００では「ポーズ」を意味し、「他のディスクを見る」は「イジェクト」を意味し、「しばらく休憩をする」は「レジュームストップ」を意味し、「見るのを止める」は「ストップ」を意味している。なお、このテーブルはメニュー表示処理部９に格納されており、再生機能制御部７から情報再生装置１００の主体の再生動作にて指示されると、メニュー表示処理部９はテーブルを読み出し、装置主体の再生動作をユーザに分かり易い言葉に変換して表示させる。
【００１３】
図３に戻り、ユーザに分かり易いメニュー表示が呼び出されると（ステップＳ２）、ユーザは当初の目的である他のＤＶＤを見るために、メニューから「他のＤＶＤを見る」と書いてある項目を選択し［ＯＫ］ボタンを押す（ステップＳ３）。ここでは「他のＤＶＤを見る」を選択したが、もしユーザはちょっと休憩をしたい場合には、メニュー表示Ａの「ちょっと休憩をする」を選択すればよい。次に、再生機能制御部７は、ユーザが「他のＤＶＤを見る」を選択したことを確認すると、ディスクドライブ１に対して停止しトレイをオープンするよう指示する。この指示に基づいてディスクドライブ１は光ディスクＤを停止させてトレイをオープンさせる(ステップＳ４、Ｓ５）。再生機能制御部７はトレイのオープンを確認して、メニュー表示処理部９に対して「ＤＶＤを入れたら[ＯＫ]を押してください」というユーザ操作を促すメッセージ（メニュー表示Ｂ）を表示させる。ユーザは次に再生させたい光ディスクＤをトレイに載せ、［ＯＫ］ボタンを押す（ステップＳ７）。再生機能制御部７は、［ＯＫ］ボタンが押されたことを確認すると、ディスクドライブ１に対してトレイをクローズさせるよう指示する。この指示に基づいてディスクドライブ１はトレイをクローズさせる（ステップＳ８）。再生機能制御部７はディスク再生迄のシーケンスを実行し（ステップＳ９）、再生が開始されるときに、メニュー表示処理部９に対してメニュー表示Ｂを消すよう指示する。この指示に基づいてメニュー表示処理部９はメニュー表示Ｂを消す。この処理により、一連の操作が全て終わるまでメニュー表示は継続され、操作が終わるとメニュー表示は自動的に消える。なお、画面上のメニュー表示は、ユーザへの目安としてアイコン等のグラフィカルな表示を行うことも可能である。
【００１４】
このように、情報再生装置１００が再生中のときにユーザが操作可能な項目を表示させ、しかもメニュー画面の表示に平易な文言を使って目的にあった項目を選択できるようにしたことで操作性を格段に向上させることができる。また、途中でユーザ操作が必要なときは、ユーザ操作を促すメッセージを表示させることができる。
【００１５】
次に、レジューム再生の例について説明する。
図４はレジューム再生を例にした画面表示、ユーザー操作及び再生装置の動作の関連を表した図である。
図４に示すように、まず情報再生装置１００は既にある光ディスクＤを再生中とする（ステップＳ２０）。ユーザは視聴を中断するためにリモコン１１にあるメニューボタンを押すと、制御ＣＰＵ５は再生機能制御部７を制御して、現時点でできること、即ち、再生中における可能なユーザ操作項目を判断させる。再生機能制御部７によって判断されたユーザ操作項目は、メニュー表示処理部９に伝えられ、グラフィック１９を介して画面にメニューが表示される。図４のメニュー表示Ｃでは再生中にユーザ操作できる項目として「他のＤＶＤを見る」、「しばらく休憩する」、「見るのをやめる」、「ちょっと休憩する」が表示される（ステップＳ２１）。なお、メニュー表示Ｃでは図３のメニュー表示Ａに表示された項目と同じであり表示されている順番が異なっているだけである。図５には、情報再生装置１００が主体の表示とユーザ行動に関する表示を比較したテーブルが示されている。このテーブルは上記同様メニュー表示処理部９に格納されており、再生機能制御部７から情報再生装置１００の主体の動作にて指示されると、メニュー表示処理部９はテーブルを読み出し、装置主体の動作をユーザに分かり易い言葉に変換して表示させる。
【００１６】
図４に戻り、ユーザに分かり易いメニュー表示が呼び出されると（ステップＳ２１）、ユーザは当初の目的である視聴を中断するために、メニューから「しばらく休憩する」と書いてある項目を選択し［ＯＫ］ボタンを押す（ステップＳ２２）。ここでは「しばらく休憩する」を選択したが、もしユーザは見るのをやめたい場合には、メニュー表示Ｃの「見るのをやめる」を選択すればよい。再生機能制御部７は、ユーザが「しばらく休憩する」を選択したことを確認すると、ディスクドライブ１に対してどこを再生中なのか位置情報を取得し、この位置情報をストレージ３に記憶させる（ステップＳ２３）。そして、ディスクドライブ１に対して再生を停止するよう指示する。この指示に基づいてディスクドライブ１は光ディスクＤを停止させる(ステップＳ２４）。ディスク停止後、再生機能制御部７はディスク停止中の状態で可能なユーザ操作項目を判断し、判断されたユーザ操作項目は、メニュー表示処理部９に伝えられ、グラフィック１９を介して画面にメニューが表示される。図４のメニュー表示Ｄでは視聴の中断中に操作できる項目として「他のＤＶＤを見る」、「続きを見る」、「見るのをやめる」が表示されるようになる。メニュー表示Ｄでは「しばらく休憩する」の項目が「続きを見る」に自動的に変わる。そして、ユーザーは視聴を再開する為に、「続きを見る」の項目を選択し[ＯＫ]ボタンを押す。再生機能制御部７は［ＯＫ］ボタンが押されたことを確認すると（ステップＳ２５）、ストレージ３に格納された位置情報を読み出し、ディスクドライブ１に対してレジューム再生するよう指示する（ステップＳ２７）。また再生機能制御部７は、再生が開始されるときにメニュー表示処理部９に対してメニュー表示Ｄを消すよう指示する。この指示に基づいてメニュー表示処理部９はメニュー表示Ｂを消す。
【００１７】
このように、ユーザが視聴を中断するために「しばらく休憩する」を選択した後、再生機能制御部７はディスクを停止させるとともに、この時点で操作できる項目を判断して「しばらく休憩する」の項目から「続きを見る」に変換させる。ユーザにとってみれば、その時点での操作可能な項目を自動的に分かり易い文言で表示してくれるため、装置の操作性を格段に向上させることができる。また、ユーザが操作するのは選択ボタン、決定ボタンの２種類だけであるため、ユーザにとって非常に分かりやすく簡単に操作ができる。
【００１８】
以上説明したように、光ディスク等の情報再生装置は、不慣れなユーザーにとって操作が複雑であったり、用語や表示が紋切り型の専門用語で難解に感じたり、理解され難いことが多かった。そこで、再生装置等に関連する専門的な用語や記号などの、情報再生装置が主体の表示を理解してもらうのではなく、ユーザーの行動に情報再生装置の方が合わせて、ユーザーの行動を主体とする表示や操作方法を提供することで、無駄な操作を少なくして、効率良く制御する方法を提供することができる。
【００１９】
尚、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００２０】
【図１】本発明の一実施形態に係る情報再生装置の概略構成を示す図。
【図２】メニュー表示の例を示した図。
【図３】ディスク交換を例にした画面表示、ユーザ操作及び情報再生装置の動作の関連を表した図。
【図４】レジューム再生を例にした画面表示、ユーザー操作及び再生装置の動作の関連を表した図。
【図５】情報再生装置１００が主体の表示とユーザ行動に関する表示を比較したテーブルを示す図。
【符号の説明】
【００２１】
１…ディスクドライブ、３…ストレージ、５…制御ＣＰＵ部、７…再生機能制御部、９…メニュー表示処理部、１１…リモコン、１３…リモコン受信部、１５…ストリームプロセッサ、１７…デコーダ、１９…グラフィック、１００…情報再生装置
【図１】
2010148010.tif 000003
【図２】
2010148010.tif 000004
【図３】
2010148010.tif 000005
【図４】
2010148010.tif 000006
【図５】
2010148010.tif 000007